(57)【要約】      （修正有）【課題】簡単かつコストのかからない構造で、組立式クローゼットの強度を向上させると共に商品の梱包パッケージサイズが小さくなるようにした組立式クローゼット用パイプ結合具及びそれを用いた組立式クローゼットを提供する。【解決手段】長尺状のパイプ結合具本体１２と、両端部水平挿着孔１６が穿設された水平受け部１８と、垂直挿着孔２８が穿設された垂直受け部３０と、中央部水平挿着孔３２と、を含む。両端部水平挿着孔１６及び中央部水平挿着孔３２は、その中央に仕切り板を有し、非連通状態とされてなり、左右からそれぞれに挿着される水平パイプが互いに接触しない状態でパイプ結合具本体１２を介して連結せしめられるようにする。【選択図】図１
0003188473.tif 000002
【実用新案登録請求の範囲】
【請求項１】
複数本の垂直パイプ及び複数本の水平パイプを組み付けてなる組立式クローゼットを組み立てるに際して用いられる組立式クローゼット用のパイプ結合具であって、
長尺状のパイプ結合具本体と、
前記パイプ結合具本体の両端部に設けられ、水平パイプが左右からそれぞれに着脱可能に挿着される両端部水平挿着孔が穿設された水平受け部と、
前記パイプ結合具本体の両端部に設けられ、前記水平パイプに直交する垂直パイプがそれぞれに着脱可能に挿着される垂直挿着孔が穿設された垂直受け部と、
前記パイプ結合具本体の略中央部に設けられ、水平パイプが左右からそれぞれに着脱可能に挿着される中央部水平挿着孔と、
を含み、
前記両端部水平挿着孔及び中央部水平挿着孔が、その中央に仕切り板を有し、非連通状態とされてなり、左右からそれぞれに挿着される水平パイプが互いに接触しない状態で前記パイプ結合具本体を介して連結せしめられるようにしてなることを特徴とする組立式クローゼット用パイプ結合具。
【請求項２】
前記中央部水平挿着孔の下方に、その中央に仕切り板を有するハンガーパイプ挿入孔が設けられ、前記ハンガーパイプ挿入孔は非連通状態とされてなり、ハンガーパイプが左右からそれぞれに着脱可能に挿着されることを特徴とする請求項１記載の組立式クローゼット用パイプ結合具。
【請求項３】
前記両端部水平挿着孔及び中央部水平挿着孔の開口部を延出せしめる延出開口部が設けられていることを特徴とする請求項１又は２記載の組立式クローゼット用パイプ結合具。
【請求項４】
請求項１〜３いずれか１項記載の組立式クローゼット用パイプ結合具に、水平パイプ及び垂直パイプを組み付けてなることを特徴とする組立式クローゼット。
【請求項５】
前記組立式クローゼットにカバー部材を着脱自在に被せてなることを特徴とする請求項４記載の組立式クローゼット。
【請求項６】
前記組立式クローゼットの下端部にキャスター部材を設けたことを特徴とする請求項４又は５記載の組立式クローゼット。
【考案の詳細な説明】
【技術分野】
【０００１】
本考案は、洋服などの衣類を収納する組立式クローゼットに用いられるパイプ結合具及びそれを用いた組立式クローゼットに関する。
【背景技術】
【０００２】
従来、特に家庭や店頭・店内等で衣服類を収納するのに用いられる組立式のクローゼットとして、金属製のパイプを結合具を介して組み立ててクローゼットとし、該クローゼットを不織布のカバー材で覆った組立式のクローゼットが知られている。
【０００３】
そして、ハンガーに吊り下げた衣服の保管枚数に応じて幅を拡縮させて収納スペースを増やしたり、減らしたりすることのできる組立式クローゼットもあり、こういった組立式クローゼットのカバー構造なども提案されている（特許文献１〜３）。
【０００４】
しかし、組立式クローゼットの水平パイプをスライドさせるなどして、衣服の収納スペースを増やすようにすると、幅を拡げた場合の水平パイプの中央付近の強度が弱くなってしまうという問題があった。
【０００５】
また、従来の組立式クローゼット用パイプ結合具を用いて幅サイズ１２０ｃｍ以上の組立式クローゼットを作る場合には、水平パイプ長を１２０ｃｍ以上確保しなければならず、商品の梱包パッケージサイズも１辺が必ず１２０ｃｍ以上となり、嵩張るという問題があった。
【先行技術文献】
【特許文献】
【０００６】
【特許文献１】実用新案登録第３００７４５８号公報
【特許文献２】実用新案登録第３０３６９６１号公報
【特許文献３】実用新案登録第３１４１０１１号公報
【考案の開示】
【考案が解決しようとする課題】
【０００７】
本考案は、上記問題点に鑑みてなされたものであり、簡単かつコストのかからない構造で、組立式クローゼットの強度を向上させると共に商品の梱包パッケージサイズが小さくなるようにした組立式クローゼット用パイプ結合具及びそれを用いた組立式クローゼットを提供することを目的とする。
【課題を解決するための手段】
【０００８】
上記課題を解決するために、本考案の組立式クローゼット用パイプ結合具は、複数本の垂直パイプ及び複数本の水平パイプを組み付けてなる組立式クローゼットを組み立てるに際して用いられる組立式クローゼット用のパイプ結合具であって、長尺状のパイプ結合具本体と、前記パイプ結合具本体の両端部に設けられ、水平パイプが左右からそれぞれに着脱可能に挿着される両端部水平挿着孔が穿設された水平受け部と、前記パイプ結合具本体の両端部に設けられ、前記水平パイプに直交する垂直パイプがそれぞれに着脱可能に挿着される垂直挿着孔が穿設された垂直受け部と、前記パイプ結合具本体の略中央部に設けられ、水平パイプが左右からそれぞれに着脱可能に挿着される中央部水平挿着孔と、を含み、前記両端部水平挿着孔及びが中央部水平挿着孔が、その中央に仕切り板を有し、非連通状態とされてなり、左右からそれぞれに挿着される水平パイプが互いに接触しない状態で前記パイプ結合具本体を介して連結せしめられるようにしてなることを特徴とする。
【０００９】
このように構成することで、パイプ結合具本体の両面に水平パイプを左右から挿着できるので、組立式クローゼット全体の強度が向上する。また、パイプ結合具本体の両面に水平パイプを左右から挿着できるので、水平パイプの長さを短くでき、商品の梱包パッケージサイズを小さくすることができる。
【００１０】
前記中央部水平挿着孔の下方に、その中央に仕切り板を有するハンガーパイプ挿入孔が設けられ、前記ハンガーパイプ挿入孔は非連通状態とされてなり、ハンガーパイプが左右からそれぞれに着脱可能に挿着されるのが好適である。
【００１１】
前記両端部水平挿着孔及び中央部水平挿着孔の開口部を延出せしめる延出開口部が設けられているのが好ましい。前記延出開口部を設けることで前記両端部水平挿着孔及び中央部水平挿着孔の孔長を長くすることができる。前記水平パイプが、前記両端部水平挿着孔及び中央部水平挿着孔によって支持される際に、前記両端部水平挿着孔及び中央部水平挿着孔の孔長が長い方が支持強度が向上するが、このように前記両端部水平挿着孔及び中央部水平挿着孔の孔長を長くすることで該支持強度を向上することができる利点がある。
【００１２】
また、本考案の組立式クローゼットは、前記組立式クローゼット用パイプ結合具に、水平パイプ及び垂直パイプを組み付けてなることを特徴とする。
【００１３】
前記組立式クローゼットにカバー部材を着脱自在に被せてなるのが好ましい。
【００１４】
さらに、前記組立式クローゼットの下端部にキャスター部材を設けるのが好ましい。
【考案の効果】
【００１５】
本考案によれば、簡単かつコストのかからない構造で、組立式クローゼットの強度を向上させると共に商品の梱包パッケージサイズが小さくなるようにした組立式クローゼット用パイプ結合具及びそれを用いた組立式クローゼットを提供することができるという著大な効果を奏する。
【００１６】
また、商品の梱包パッケージサイズが小さくなることで、輸送経費の削減、店舗作業の軽減化、お客様の持ち帰り易さの向上、及び、不要となった場合にも小さく切断したりせずに廃棄できる、という利点がある。
【図面の簡単な説明】
【００１７】
【図１】本考案のハンガーパイプ結合具を示す斜視図である。
【図２】図１の側面図である。
【図３】図１の平面図である。
【図４】図１の底面図である。
【図５】本考案の組立式クローゼットを組み立てた状態を示す斜視図である。
【図６】図５の組立式クローゼットにカバー部材を被せた状態を示す斜視図である。
【考案を実施するための最良の形態】
【００１８】
以下に本考案の実施の形態を添付図面に基づいて説明するが、本考案の技術思想から逸脱しない限りこれらの実施の形態について種々の変更又は変形が可能なことは言うまでもない。なお、同一部材は同一符号で示される。
【００１９】
図１〜図５において、符号１０は本考案の組立式クローゼット用ハンガーパイプ結合具を示す。パイプ結合具１０は、長尺状のパイプ結合具本体１２と、前記パイプ結合具本体１２の両端部に設けられ、水平パイプ１４が左右からそれぞれに着脱可能に挿着される両端部水平挿着孔１６が穿設された水平受け部１８と、前記パイプ結合具本体１２の両端部に設けられ、前記水平パイプ１４に直交する垂直パイプ２０，２２，２４，２６がそれぞれに着脱可能に挿着される垂直挿着孔２８が穿設された垂直受け部３０と、前記パイプ結合具本体１２の略中央部に設けられ、水平パイプ１４が左右からそれぞれに着脱可能に挿着される中央部水平挿着孔３２と、を含む構成とされている。
【００２０】
また、図３及び図４によく示されるように、前記両端部水平挿着孔１６及び中央部水平挿着孔３２が、その中央に仕切り板３４を有し、非連通状態とされてなり、左右からそれぞれに挿着される水平パイプ１４が互いに接触しない状態で前記パイプ結合具本体１２を介して連結せしめられるようにしてなる。
【００２１】
さらに、前記中央部水平挿着孔３２の下方には、その中央に仕切り板３６を有するハンガーパイプ挿入孔３８が設けられている。前記ハンガーパイプ挿入孔３８は、仕切り板３６によって非連通状態とされており、ハンガーパイプ４０が左右からそれぞれに着脱可能に挿着されている。
【００２２】
上述のように、前記両端部水平挿着孔１６及び中央部水平挿着孔３２に仕切り板３４を設け、ハンガーパイプ挿入孔３８に仕切り板３６を設けることで、非連通状態とされるので、水平パイプ１４及びハンガーパイプ４０をそれぞれ連結させる際の強度が向上する。
【００２３】
図示例では、前記両端部水平挿着孔１６及び中央部水平挿着孔３２の開口部を延出せしめる延出開口部４２，４４が設けられている。延出開口部４２，４４によって、孔長が長くなり、水平パイプ１４及びハンガーパイプ４０が安定して支持されるという利点がある。
【００２４】
図５には、パイプ結合具１０の他、片側パイプ結合具５０を用いて、長尺状のパイプ結合具本体１２に、水平パイプ１４及び垂直パイプ２０，２２，２４，２６を組み付けて組立式クローゼット４６とした例を示した。片側パイプ結合具５０は、パイプ結合具１０の両端部水平挿着孔１６及び中央部水平挿着孔３２が、片側にしか穿孔されておらず、片側のみに水平パイプ１４及びハンガーパイプ４０が着脱可能に挿着される点を除けば、パイプ結合具１０と基本的に同様の構成である。
【００２５】
なお、図５において、垂直パイプ２０，２２，２４，２６はそれぞれ長さが異なるのみであり、それらのパイプ径は同一である。
【００２６】
また、垂直挿着孔２８は、上下にそれぞれ垂直パイプ２０，２２，２４，２６が着脱可能に挿着されるものであるが、上下に挿着された垂直パイプが互いに接触しないように、非連通状態とされている。このような垂直挿着孔２８の構造は従来の構造と同様である。
【００２７】
また、図５に示した組立式クローゼット４６は一例であり、水平パイプ１４及び垂直パイプ２０，２２，２４，２６の組み付けを変えることで、ハンガーパイプ４０の位置や棚４７の位置を変更したり、組立式クローゼット４６のサイズなどを変更できることは勿論である。
【００２８】
また、前記組立式クローゼット４６の下端部にはキャスター部材４８が設けられている。
【００２９】
さらに、図６には、前記組立式クローゼット４６に、線ファスナー５２を設けたカバー部材５４を着脱自在に被せた例を示した。このように線ファスナー５２付きのカバー部材５４を被せることで、埃等から衣類等を守ることができる。なお、カバー部材５４としては、不織布を使用した例を示したが、材質などに特別の限定はない。
【００３０】
以上のように、本考案の組立式クローゼット用パイプ結合具を用いれば、簡単かつコストのかからない構造で、組立式クローゼットの強度を向上させると共に商品の梱包パッケージサイズが小さくなるようにできる。
【符号の説明】
【００３１】
１０：本考案のパイプ結合具、１２：パイプ結合具本体、１４：水平パイプ、１６：両端部水平挿着孔、１８：水平受け部、２０，２２，２４，２６：垂直パイプ、２８：垂直挿着孔、３０：垂直受け部、３２：中央部水平挿着孔、３４，３６：仕切り板、３８：ハンガーパイプ挿入孔、４０：ハンガーパイプ、４２，４４：延出開口部、４６：組立式クローゼット、４７：棚、４８：キャスター部材、５０：片側パイプ結合具、５２：線ファスナー、５４：カバー部材。
【図１】
0003188473.tif 000003
【図２】
0003188473.tif 000004
【図３】
0003188473.tif 000005
【図４】
0003188473.tif 000006
【図５】
0003188473.tif 000007
【図６】
0003188473.tif 000008